(57)【特許請求の範囲】
【請求項１】
複数の山部と谷部とから左右方向に波状に形成した化粧面と、該化粧面の上端部を略垂直に上方に突出し先端を化粧面と略平行に突出した上連結部と、化粧面の下端部を略垂直に下方に突出した軒先片とから形成し、化粧面と軒先片間には半径が６０ｍｍ以上のアールに形成した親水層を形成した軒先成型瓦屋根と、断面略Ｕ字状で長尺状の軒樋とから形成し、軒先成型瓦屋根の山部の先端の垂直線と谷部の先端の垂直線間に軒樋の先端部が来るように形成したことを特徴とする軒先成型瓦屋根構造。
【発明の詳細な説明】
【０００１】
【産業上の利用分野】
本発明は、成型瓦屋根の軒先を形成するための軒先成型瓦屋根構造に関するものである。
【０００２】
【従来の技術】
従来の、軒先を形成する成型瓦屋根の構造としては、▲１▼成型瓦屋根本体をそのまま使用したもの、▲２▼成型瓦屋根本体に面戸をかぶせて形成したもの、等であった。
【０００３】
【発明が解決しようとする課題】
しかしながら、▲１▼では軒先部分に成型瓦屋根の先端部分の裏面が露出し、外観が悪かった。▲２▼では軒先部分に成型瓦屋根の先端部分の裏面が露出しないものの、成型瓦屋根本体の形状に合致した面戸を成型（製造）するのは非常に難しく、かつ、面戸を取り付ける作業も熟練を要し、作業性が悪かった。このために、コストアップとなる欠点もあった。さらに、従来の成型瓦屋根を使用した軒先の軒樋は積雪による荷重により破壊されることが多く、また、ゴミ（枯葉等）の浸入により樋の機能を果たさなくなる欠点もあった。
【０００４】
【課題を解決するための手段】
本発明はこのような欠点を除去するため、複数の山部と谷部とから左右方向に波状に形成した化粧面と、化粧面の上端部を略垂直に上方に突出し先端を化粧面と略平行に突出した上連結部と、化粧面の下端部を略垂直に下方に突出した軒先片とから形成し、化粧面と軒先片間には半径が６０ｍｍ以上のアールに形成した親水層を形成した軒先成型瓦屋根と、断面略Ｕ字状で長尺状の軒樋とから形成し、軒先成型瓦屋根の山部の先端の垂直線と谷部の先端の垂直線間に軒樋の先端部が来るように形成した軒先成型瓦屋根構造を提案するものである。
【０００５】
【実施例】
以下に、図面を用いて本発明に係る軒先成型瓦屋根構造について詳細に説明する。図１、図２、図３（ａ）、（ｂ）は本発明に係る軒先成型瓦屋根構造の施工状態を示す説明図であり、Ａは軒先成型瓦屋根、Ｂは成型瓦屋根、Ｃは成型瓦屋根取付具、Ｄは瓦桟、Ｅは断熱ボード、Ｆは親水性塗料あるいは親水性フィルム、Ｇは軒樋、Ｒは雨水、Ｓは雪、αは屋根下地、βは固定具である。
【０００６】
さらに詳説すると、屋根下地αは、新築の躯体、あるいは既存の屋根（新生瓦、日本瓦、金属製横葺屋根、金属成型瓦屋根、瓦棒屋根、スレート屋根、石綿スレート屋根、石綿セメント屋根、等）と躯体とからなる既存屋根よりなるものである。勿論、防水シート（アスファルトルーフィング等）（一点鎖線で示す）も含むものである。なお、図１〜図３（ａ）、（ｂ）では屋根下地αとして新築の躯体（垂木、野地板、防水シート）を形成したものを示すものである。
【０００７】
また、図４（ａ）〜（ｅ）、図５（ａ）〜（ｃ）、および６（ａ）〜（ｈ）は軒先成型瓦屋根Ａを示す説明図、図７（ａ）〜（ｅ）、図８（ａ）〜（ｄ）は成型瓦屋根Ｂを示す説明図、図９（ａ）〜（ｆ）は成型瓦屋根取付具Ｃを示す説明図、図１０（ａ）〜（ｄ）は断熱ボードＥを示す説明図、図１１（ａ）、（ｂ）は成型瓦屋根Ｂの施工状態を示す説明図、図１２（ａ）、（ｂ）、図１３（ａ）、（ｂ）は施工順序を示す説明図である。
【０００８】
軒先成型瓦屋根Ａは図４（ａ）〜（ｅ）、図５（ａ）〜（ｃ）に示すようなものであり、図４（ａ）は斜視図、図４（ｂ）は図４（ａ）の正面図、図４（ｃ）は図４（ａ）の底面図、図４（ｄ）は図４（ａ）のａ−ａ部端面図、図４（ｅ）は左右方向の連結状態を示す施工状態図である。また、図５（ａ）は図４（ａ）の右側面図、図５（ｂ）は図４（ａ）のｂ−ｂ部端面図、図５（ｃ）は図４（ａ）のｂ−ｂ部一部切り欠き拡大断面図である。
【０００９】
さらに詳説すると、軒先成型瓦屋根Ａは山部２、谷部３を複数個形成した化粧面１と、谷部３には中間山２ａ、左右方向の端部には右連結部４、左連結部５、上端部にはクランク状の上連結部６、固定具βの打設部となる上連結片７、下端部には裏面側に屈曲した軒先片８ａを有する下連結部８を形成したものである。
【００１０】
右連結部４と左連結部５は図４（ｅ）に示すように連結され、雨が内部に浸入しないように形成したものである。また、右連結部４と左連結部５は少なくとも一山以上重ねて連結するものである。勿論、右連結部４と左連結部５間にパッキング材等の防水材を形成して防水性を向上することもできる。
【００１１】
上連結部６の上連結片７は図１に示すように、瓦桟Ｄに固定具βにより固定される部分である。
【００１２】
化粧面１と軒先片８ａ間には半径が６０ｍｍ以上のアールを形成し、少なくともこのアール部分の化粧面１部分には親水層１ａを形成するものである。
【００１３】
親水層１ａは親水性塗料あるいは親水性フィルムＦを形成したものであり、図６（ａ）〜（ｆ）に示すように形成したものである。なお、親水層１ａは少なくとも下連結部８のアール部分に形成するものであり、その他にも化粧面１の下端部分、下連結部８全部、化粧面１と下連結部８全部、軒先成型瓦屋根Ａ全体、等に形成しても良いものである。
【００１４】
図６（ａ）〜（ｆ）は軒先成型瓦屋根Ａのアール部分の親水層１ａ部分を拡大した断面図であり、軒先成型瓦屋根Ａの基材１ｂ上に、（ａ）図は親水性塗料あるいは親水性フィルムＦを形成したもの、（ｂ）図は親水性塗料あるいは親水性フィルムＦに細かい凹溝を複数条形成したもの、（ｃ）図は硅砂等を散布し、表面に親水性塗料あるいは親水性フィルムＦを塗布、あるいは貼着したもの、（ｄ）図は親水性塗料あるいは親水性フィルムＦに凸リブを複数条形成したもの、（ｅ）、（ｆ）図は凹凸を形成したものである。さらに、基材１ｂの素材としてプラスチック等を使用した場合に、帯電防止剤等の親水性を向上する材料を練り込んだものであれば、基材１ｂのみでも同様な効果が得られる。
【００１５】
なお、親水性塗料あるいは親水性フィルムＦ等の親水性材料の特徴は、図６（ｇ）に示すように、親水性が高いと、接触面と水滴（雨水Ｒ）の接触角θが小となり、図６（ｈ）に示すように接触角θが大きくなると撥水性が高くなる。なお、親水性と言われる範囲は０°≦θ≦６０°である。また、接触角θが小さくなれば水の体積が同じでも接触面との接触面積が大きくなり、斜面を水が流れる場合、接触面積が大きいほど抵抗が大きくなり、流速が遅くなる。そのために、軒先より雨水が飛び出しにくくなるものである。
【００１６】
このために、降雨時には図２に示すように、雨水Ｒが流体の特性であるコアンダ効果、ティーポット効果により鉛直線イ方向より内側に回り込み、実線の矢印のように軒先成型瓦屋根Ａの化粧面１−アール部分（親水層１ａ）−軒先片８ａに沿って雨水Ｒが流下し、軒樋Ｇに速やかに集められるものである。また、軒樋Ｇの先端部Ｇ1 は２点鎖線の垂直線ロと点線の鉛直線イ間に形成されるものである。このように、軒樋Ｇの先端部Ｇ1 が２点鎖線の垂直線ロと点線の鉛直線イ間に形成されることにより、雨水Ｒの確実な集水、雪Ｓによる軒樋Ｇの破損の防止、枯葉等の侵入防止、等に有効である。
【００１７】
図３（ａ）、（ｂ）は積雪時の雪Ｓの状態を示すものであり、雪Ｓが図３（ａ）に示すように軒先より突出してくると、その重みと、軒先成型瓦屋根Ａのアールにより、図３（ｂ）に示すように落雪する。しかし、落雪時でも軒樋Ｇに雪Ｓがぶつからないために、軒樋Ｇの破損がないものである。勿論、降雪時にも軒樋Ｇ内に雪Ｓが浸入せず、軒樋Ｇの機能を阻害しないものである。
【００１８】
軒先成型瓦屋根Ａの基材１ｂの素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種をプレス成型、押出成型、ロール成型、等して所定形状に形成したもの、あるいは、樹脂材（プラスチック、ＦＲＰ等）の成型品である。また、石綿スレート、石綿セメント等よりなる新生瓦、スレート、粘土の焼成品（日本瓦）よりなるものである。勿論、これらの複合材でも良いものである。
【００１９】
一般部の成型瓦屋根Ｂは図７（ａ）〜（ｅ）、図８（ａ）〜（ｄ）に示すようなものであり、図７（ａ）は斜視図、図７（ｂ）は図７（ａ）の正面図、図７（ｃ）は図７（ａ）の底面図、図７（ｄ）は図７（ａ）のｃ−ｃ部端面図、図７（ｅ）は左右方向の連結状態を示す施工状態図である。また、図８（ａ）は図７（ａ）の右側面図、図８（ｂ）は図７（ａ）のｄ−ｄ部端面図、図８（ｃ）は図７（ａ）のｄ−ｄ部一部切り欠き拡大断面図、図８（ｄ）は上下方向の連結状態を示す施工状態図である。
【００２０】
さらに詳説すると、成型瓦屋根Ｂは山部２、谷部３を複数個形成した化粧面１と、谷部３には中間山２ａ、左右方向の端部には右連結部４、左連結部５、上下端部にはクランク状の上連結部６、固定具βの打設部となる上連結片７、クランク状の下連結部８、後記する成型瓦屋根取付具Ｃの固定片１３に固定される下連結片９とから形成したものである。
【００２１】
右連結部４と左連結部５は図７（ｅ）に示すように連結され、雨が内部に浸入しないように形成したものである。また、右連結部４と左連結部５は少なくとも一山以上重ねて連結するものである。勿論、右連結部４と左連結部５間にパッキング材等の防水材を形成して防水性を向上することもできる。
【００２２】
上連結部６と下連結部８は図８（ｄ）に示すように、上連結部６上に下連結部８が重ねられるように連結され、雨が内部に浸入しないように形成したものである。
【００２３】
成型瓦屋根Ｂの素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種をプレス成型、押出成型、ロール成型、等して所定形状に形成したもの、あるいは、樹脂材（プラスチック、ＦＲＰ等）の成型品である。また、石綿スレート、石綿セメント等よりなる新生瓦、スレート、粘土の焼成品（日本瓦）よりなるものである。勿論、これらの複合材でも良いものである。
【００２４】
成型瓦屋根取付具Ｃは、図９（ａ）〜（ｆ）に示すようなものであり、（ａ）図は斜視図、（ｂ）図は正面図、（ｃ）図は右側面図、（ｄ）図はｅ−ｅ部断面図、（ｅ）図はｆ−ｆ部断面図、（ｆ）図はｇ−ｇ部断面図である。さらに詳説すると、成型瓦屋根取付具Ｃは略垂直平面状の固定部１０と、固定部１０の下端を略水平に屈曲した立ち上がり片１１と、立ち上がり片１１の先端を下方に垂下した支持片１２と、支持片１２の先端を立ち上がり片１１側に屈曲した固定片１３と、固定片１３と支持片１２により形成された嵌合溝１４と、固定部１０に形成した固定孔１５と、固定部１０から立ち上がり片１１間に形成した突起１０ａと、支持片１２に形成した切り欠き１２ａとから形成したものである。
【００２５】
固定部１０は１２（ａ）に示すように、屋根下地αに固定具βにより成型瓦屋根取付具Ｃを固定するためのものである。
【００２６】
立ち上がり片１１は軒先成型瓦屋根Ａ、成型瓦屋根Ｂの高さと同等に形成し、成型瓦屋根Ｂの段差に対応するように形成したものである。
【００２７】
支持片１２は成型瓦屋根Ｂの下連結片９の長さと同等以上の長さに形成し、下連結片９を支持する部分である。
【００２８】
固定片１３と嵌合溝１４は図１３（ａ）、（ｂ）に示すように成型瓦屋根Ｂの下連結片９を嵌合すると共に固定する部分である。なお、固定片１３は成型瓦屋根Ｂの下連結片９を挿入後に、かしめることにより下連結片９を固定するものである。勿論、かしめはハンマーによる打設、つかみにより行うものである。
【００２９】
突起１０ａは成型瓦屋根取付具Ｃの強度を向上するためのものであり、プレス成型時に一体に形成するものである。また、切り欠き１２ａは固定片１３がかしめ易いように形成したものである。
【００３０】
成型瓦屋根取付具Ｃの素材としては、金属薄板、例えばステンレス、鉄、アルミニウム、銅、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種をプレス成型、押出成型、ロール成型、等して所定形状に形成したものあるいは、樹脂材（プラスチック、ＦＲＰ等）の押出成型品により形成しても良いものである。勿論、金属材と樹脂材（プラスチック、ＦＲＰ等）の複合材でも良いものである。
【００３１】
Ｄは瓦桟であり、軒先成型瓦屋根Ａ、成型瓦屋根Ｂ、成型瓦屋根取付具Ｃを固定する下地であると共に、軒先成型瓦屋根Ａ、成型瓦屋根Ｂの段差を吸収し、軒先片８ａ、上連結部６と下連結部８が荷重により潰れないように形成したものである。
【００３２】
瓦桟Ｄの素材としては、木材、金属材（Ｈ形鋼、Ｉ形鋼、ミゾ形鋼、軽量ミゾ形鋼、リップ溝形鋼、等辺山形鋼、不等辺山形鋼、角形鋼（角パイプ）等）、樹脂材（プラスチック、ＦＲＰ等）、等である。また、瓦桟Ｄの高さは成型瓦屋根Ｂの高さと同じか、それよりも高く形成するものである。
【００３３】
断熱ボードＥは図１０（ａ）〜（ｄ）に示すようなものであり、（ａ）図は斜視図、（ｂ）図は断面図、（ｃ）図は断面図、（ｄ）図は施工状態の断面図である。その形状は傾斜して形成した傾斜面１６と、傾斜面１６に前記軒先成型瓦屋根Ａ、成型瓦屋根Ｂの中間山２ａと同一形状、同一ピッチで形成した凸部１７と、高さの低い上側面１８と、高さの高い下側面１９とから形成したものであり、断熱材、防火材、防音材、遮音材、気密材、等の機能を有するものである。また、断熱ボードＥは瓦桟Ｄ間にはめ込まれるように形成されるものであり、幅は瓦桟Ｄ間の幅（化粧面１の幅から瓦桟Ｄの幅を減じた長さ）と同じ幅で、下側面１９の高さが瓦桟Ｄと同じ高さ、上側面１８の高さが瓦桟Ｄの高さから成型瓦屋根Ｂの高さを減じた高さである。
【００３４】
断熱ボードＥの素材としては、例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものである。また、芯材中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。勿論、シージングボード、シージングインシュレーションボード、ケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体等、あるいはこれらの複合板よりなるものでも良い。
【００３５】
さらに、上記芯材の表面、裏面をシート状物（金属板材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等）、あるいは板状物（合成樹脂発泡体板、ケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体等）、あるいはこれらの複合板よりなるもので被覆し、カナッペ構造、サンドイッチ構造に形成した断熱ボードＥでも良いものである。
【００３６】
また、凸部１７は施工時に軒先成型瓦屋根Ａ、成型瓦屋根Ｂの中間山２ａと合致するようにして一体化し、施工後に成型瓦屋根Ｂがバタ付かないようにするのに有効である。
【００３７】
以上説明したのは本発明に係る軒先成型瓦屋根構造の一実施例にすぎず、図１４（ａ）〜（ｉ）〜図２１（ａ）、（ｂ）に示すように形成することもできる。すなわち、図１４（ａ）〜（ｉ）は軒先成型瓦屋根Ａ、成型瓦屋根Ｂのその他の実施例を示す断面図であり、特に（ｉ）図は左連結部５内にパッキング材５ａを形成したものである。
【００３８】
図１５（ａ）〜（ｌ）は成型瓦屋根取付具Ｃのその他の例を示す説明図であり、特に（ｉ）、（ｊ）図は固定部１０の先端に取付片２０を形成し、瓦桟Ｄの側面でも取り付けを可能にした成型瓦屋根取付具Ｃであり、打設片２０ａは瓦桟Ｄに打設される部分である。また、（ｋ）図は固定部１０の先端に係合片２１を形成し、軒先成型瓦屋根Ａ、成型瓦屋根Ｂの上連結片７に係合するようにして施工性、取付強度を強化した成型瓦屋根取付具Ｃである。
【００３９】
図１６（ａ）〜（ｊ）は断熱ボードＥのその他の実施例を示す断面図であり、瓦桟Ｄを一体に形成することもできるものである。
【００４０】
図１７（ａ）、（ｂ）は屋根下地αが新生瓦屋根２３を用いた既存屋根２２である場合を示すものであり、（ａ）図は新生瓦屋根２３上に防水シートを形成した構造、（ｂ）図は新生瓦屋根２３上に直接形成した構造である。
【００４１】
図１８（ａ）、（ｂ）は屋根下地αが瓦棒屋根２４を用いた既存屋根２２である場合を示すものであり、（ａ）図は瓦棒屋根２４上に防水シートを形成した構造、（ｂ）図は瓦棒屋根２４上に直接形成した構造である。
【００４２】
図１９は成型瓦屋根取付具Ｃを使用しないで、直接、軒先成型瓦屋根Ａ、成型瓦屋根Ｂを山部２部分で屋根下地αに固定具βにより固定するようにした構造である。
【００４３】
図２０（ａ）、（ｂ）は瓦桟Ｄよりも固定部１が長い成型瓦屋根取付具Ｃを使用し、成型瓦屋根取付具Ｃを取り付けた後に固定部１を（ａ）図の矢印ハで示すように折り曲げ、（ｂ）図に示すように固定具βで固定する成型瓦屋根取付具Ｃを使用した構造を示すものである。
【００４４】
図２１（ａ）、（ｂ）は断熱ボードＥを使用しない構造を示す施工状態説明図である。
【００４５】
【発明の効果】
上述したように本発明に係る軒先成型瓦屋根構造によれば、▲１▼ゴミ（枯葉等）、雪による軒樋の排水路のつまりを防止してメンテナンスの手間が省ける。▲２▼落雪等による軒樋の破損を防止して耐久性を向上する。▲３▼積雪地域でも軒樋が使用できる。▲４▼軒樋が軒先成型瓦屋根の先端裏面の開口を隠し、軒先成型瓦屋根の先端裏面が外部から見えない。▲５▼軒樋の先端部が軒先成型瓦屋根の山部の先端の垂直線と谷部の先端の垂直線間に来るように形成されることにより、雨水の確実な集水と、雪による軒樋の破損を防止するものである。▲６▼屋根材にあって、コアンダ効果、ティーポット効果が有効に機能する形状と親水層を形成することで、上記効果を持続して発揮することができる。等の特徴、効果がある。
【図面の簡単な説明】
【図１】本発明に係る軒先成型瓦屋根構造の代表例を示す説明図である。
【図２】本発明に係る軒先成型瓦屋根構造の代表例を示す説明図である。
【図３】本発明に係る軒先成型瓦屋根構造の代表例を示す説明図である。
【図４】軒先成型瓦屋根の一例を示す説明図である。
【図５】軒先成型瓦屋根の一例を示す説明図である。
【図６】軒先成型瓦屋根の一例を示す説明図である。
【図７】成型瓦屋根の一例を示す説明図である。
【図８】成型瓦屋根の一例を示す説明図である。
【図９】成型瓦屋根取付具の一例を示す説明図である。
【図１０】断熱ボードの一例を示す説明図である。
【図１１】成型瓦屋根の施工状態を示す斜視図である。
【図１２】本発明に係る軒先成型瓦屋根構造の施工順序を示す断面図である。
【図１３】本発明に係る軒先成型瓦屋根構造の施工順序を示す断面図である。
【図１４】軒先成型瓦屋根、成型瓦屋根のその他の例を示す説明図である。
【図１５】成型瓦屋根取付具のその他の例を示す説明図である。
【図１６】断熱ボードのその他の例を示す説明図である。
【図１７】本発明に係る軒先成型瓦屋根構造のその他の実施例を示す説明図である。
【図１８】本発明に係る軒先成型瓦屋根構造のその他の実施例を示す説明図である。
【図１９】本発明に係る軒先成型瓦屋根構造のその他の実施例を示す説明図である。
【図２０】本発明に係る軒先成型瓦屋根構造のその他の実施例を示す説明図である。
【図２１】本発明に係る軒先成型瓦屋根構造のその他の実施例を示す説明図である。
【符号の説明】
Ａ  軒先成型瓦屋根
Ｂ  成型瓦屋根
Ｃ  成型瓦屋根取付具
Ｄ  瓦桟
Ｅ  断熱ボード
Ｆ  親水性塗料あるいは親水性フィルム
Ｇ  軒樋
Ｇ1   先端部
Ｒ  雨水
Ｓ  雪
α  屋根下地
β  固定具
θ  接触角
イ  垂直線
ロ  垂直線
ハ  矢印
１  化粧面
１ａ  親水層
１ｂ  基材
２  山部
２ａ  中間山
３  谷部
４  右連結部
５  左連結部
５ａ  パッキング材
６  上連結部
７  上連結片
８  下連結部
８ａ  軒先片
９  下連結片
１０  固定部
１０ａ  突起
１１  立ち上がり片
１２  支持片
１２ａ  切り欠き
１３  固定片
１４  嵌合溝
１５  固定孔
１６  傾斜面
１７  凸部
１８  上側面
１９  下側面
２０  取付片
２０ａ  打設片
２１  係合片
２２  既存屋根
２３  新生瓦屋根
２４  瓦棒屋根
【図１】
0003826333.tif 000002
【図２】
0003826333.tif 000003
【図３】
0003826333.tif 000004
【図４】
0003826333.tif 000005
【図５】
0003826333.tif 000006
【図６】
0003826333.tif 000007
【図７】
0003826333.tif 000008
【図８】
0003826333.tif 000009
【図９】
0003826333.tif 000010
【図１０】
0003826333.tif 000011
【図１１】
0003826333.tif 000012
【図１２】
0003826333.tif 000013
【図１３】
0003826333.tif 000014
【図１４】
0003826333.tif 000015
【図１５】
0003826333.tif 000016
【図１６】
0003826333.tif 000017
【図１７】
0003826333.tif 000018
【図１８】
0003826333.tif 000019
【図１９】
0003826333.tif 000020
【図２０】
0003826333.tif 000021
【図２１】
0003826333.tif 000022